(57)【要約】  パッケージは、第１の表面及び反対側の第２の表面と、第２の表面を囲繞する前封止表面と、前封止表面から延在する前フランジとを有する、前部材を含む。前フランジは、内向き表面と、外向き表面とを有する。後部材は、第１の表面と、反対側の第２の表面と、第２の表面を囲繞する後封止表面と、後封止表面から延在する後フランジと、を含む。後フランジは、内向き表面と、外向き表面とを有する。接合部は、前封止表面を後封止表面に固定する。空洞は、前部材の第２の表面と後部材の第２の表面との間に位置する。リング部材は、接合部を被覆するように、前フランジの外向き表面及び後フランジの外向き表面に隣接して位置付けられる。
2018508428.tif 000002
【特許請求の範囲】
【請求項１】
パッケージ（１０、１１０、２１０、３１０）であって、
ａ．前部材（２０）であって、前記前部材が、第１の表面（２１）及び反対側の第２の表面（２２）、前記第２の表面を囲繞する前封止表面（２３）、並びに前記前封止表面から延在する前フランジ（２４）を備え、前記前フランジが、内向き表面（２５）及び外向き表面（２６）を備える、前部材と、
ｂ．後部材（３０）であって、前記後部材が、第１の表面（３１）及び反対側の第２の表面（３２）、前記第２の表面を囲繞する後封止表面（３３）、並びに前記後封止表面から延在する後フランジ（３４）を備え、前記後フランジが、内向き表面（３５）及び外向き表面（３６）を備える、後部材と、
ｃ．前記前封止表面（２３）を前記後封止表面（３３）に固定する接合部（４０）と、
ｄ．前記前部材の前記第２の表面と前記後部材の前記第２の表面との間の空洞（４２）と、
ｅ．前記接合部を被覆するように、前記前フランジの前記外向き表面及び前記後フランジの前記外向き表面に隣接して位置付けられている、リング部材（５０）と、を備える、パッケージ。
【請求項２】
前記リング部材（５０）が、単一的な１ピース部材である、請求項１に記載のパッケージ。
【請求項３】
前記リング部材（５０）が、１ピース部材である、請求項１に記載のパッケージ。
【請求項４】
前記リング部材（５０）が、前記前フランジの前記外向き表面及び前記後フランジの前記外向き表面に固定されている、請求項１〜３のいずれか一項に記載のパッケージ。
【請求項５】
前記前部材は、透明な材料で形成されている、請求項１〜４のいずれか一項に記載のパッケージ。
【請求項６】
前記後部材は、透明な材料で形成されている、請求項１〜５のいずれか一項に記載のパッケージ。
【請求項７】
前記リング部材は、不透明な材料で形成されている、請求項１〜６のいずれか一項に記載のパッケージ。
【請求項８】
前記後フランジから延在する２次後フランジ（３８）を更に備え、前記２次後フランジは、前向き表面（７２）と、後向き表面（７３）と、長さ寸法（７４）と、を備える、請求項１〜７のいずれか一項に記載のパッケージ。
【請求項９】
前記リング部材が、前記２次後フランジの前記長さ寸法を上回る厚さ寸法を有する、請求項８に記載のパッケージ。
【請求項１０】
前記前フランジから延在する２次前フランジ（２８）を更に備え、前記２次前フランジは、前向き表面（６２）と、後向き表面（６３）と、長さ寸法（６４）とを備える、請求項１〜９のいずれか一項に記載のパッケージ。
【請求項１１】
前記リング部材が、前記２次前フランジの前記長さ寸法を上回る厚さ寸法を有する、請求項１０に記載のパッケージ。
【請求項１２】
前記前フランジ（２４）は、端縁部（２７）を有し、前記後フランジ（３４）は、端縁部（３７）を有し、前記リング部材は、第１の縁部（５１）及び反対側の第２の縁部（５２）を有し、前記リング部材の前記第１の縁部は前記前フランジの前記端縁部を越えて延在し、前記リング部材の前記第２の縁部は後フランジの前記端縁部を越えて延在している、請求項１〜１１のいずれか一項に記載のパッケージ。
【請求項１３】
前記リング部材は、前記前部材及び前記後部材を囲繞している、請求項１〜１２のいずれか一項に記載のパッケージ。
【発明の詳細な説明】
【技術分野】
【０００１】
本発明は、消費財のための陳列パッケージ、より具体的には、前及び後部材の露出した周辺縁部を被覆するリング部材を有する、消費財のための陳列パッケージに関する。
【背景技術】
【０００２】
ブリスタータイプのパッケージは、販売する物品を保管及び陳列するためによく使われている。ブリスタータイプのパックの主な構成要素は、形成可能な透明な材料、例えば、プラスチックから作製される複数の外シェル、及び複数の外シェルの間に創出される空洞又はポケットである。形成された空洞又はポケットは製品を収容し、外シェルは、空洞内に製品を封止する。消費者は透明のプラスチックを通して製品を容易に検討することができる。プラスチックシェルは、成形型の周囲で真空形成される。事前形成されたプラスチックシェルは、接着剤を活性化させるように、熱及び圧力を使用して、別のものに添着される。パッケージがペグに懸吊されて、陳列され得るように、接着剤は、十分に強力である。
【０００３】
ブリスターパックは典型的には熱成形される。熱成形は、プラスチックシートを成形しやすい成形温度に加熱し、成形型の特定の形状に形成し、トリミングして使用可能な製品を創出する製造プロセスである。シート（又は、薄いゲージ及び特定の物質の種類を指す場合はフィルム）は、成形型の中に又は上にそれを延伸し、完成した形状に冷却することができるように十分に高い温度まで炉内で加熱される。高体積の用途では、連続高速処理によってプラスチックシートを加熱及び成形し、成形された部分をシートからトリミングするために非常に大規模な製造装置が利用され、その機械、成形型の大きさ、並びに成形される部品の大きさに依存して、毎時数千個もの完成部品を製造することができる。
【０００４】
ブリスターパックは、消費者がパッケージ内の製品を視認することを可能にする、パッケージを陳列するための非常に魅力的な解決策を提供する利点を有する。ブリスターパック内の製品を視認する能力は、消費者にとって魅力的である一方、ブリスターパックの全体的な受容性は、外シェルが共に封止されるときに創出される周辺プラスチック縁部に起因する負の態様によって、制限される。周辺プラスチック縁部が魅力に欠けるだけでなく、それは、むしろ取り扱いが不快でもあり得る。
【発明の概要】
【発明が解決しようとする課題】
【０００５】
このため、露出した周辺プラスチック縁部と関連付けられる問題を克服する要望が存在する。
【課題を解決するための手段】
【０００６】
本発明は、パッケージに関する。パッケージは、前部材と、後部材とを備える。前部材は、第１の表面と、反対側の第２の表面とを備える。前封止表面は、第２の表面を囲繞し、前フランジは、前封止表面から延在する。前フランジは、内向き表面と、外向き表面とを備える。後部材は、第１の表面と、反対側の第２の表面とを備える。後封止表面は、第２の表面を囲繞し、後フランジは、後封止表面から延在する。後フランジは、内向き表面と、外向き表面とを備える。接合部は、前封止表面を後封止表面に固定する。空洞は、前部材の第２の表面と後部材の第２の表面との間に位置する。リング部材は、接合部を被覆するように、前フランジの外向き表面及び後フランジの外向き表面に隣接して位置付けられる。
【０００７】
リング部材は、単一的な１ピース部材又は１ピース部材であり得る。
【０００８】
リング部材は、前フランジの外向き表面及び後フランジの外向き表面に固定され得る。前部材及び後部材は、透明な材料で形成され得る。リング部材は、不透明な材料で形成され得る。
【０００９】
パッケージは、後フランジから延在する２次後フランジを備え得、２次後フランジは、前向き表面と、後向き表面と、長さ寸法とを備える。リング部材は、好ましくは、２次後フランジの長さ寸法を上回る厚さ寸法を有する。
【００１０】
パッケージは、前フランジから延在する２次前フランジを備え得、２次前フランジは、前向き表面と、後向き表面と、長さ寸法とを備える。リング部材は、好ましくは、２次前フランジの長さ寸法を上回る厚さ寸法を有する。
【００１１】
前フランジは、端縁部を有し、後フランジは、端縁部を有し、リング部材は、第１の縁部及び反対側の第２の縁部を有し、リング部材の第１の縁部は、前フランジの端縁部を越えて延在し、リング部材の第２の縁部は、後フランジの端縁部を越えて延在する。
【図面の簡単な説明】
【００１２】
明細書は請求項で終わっており、請求項では特に、本発明を形成すると考えられる対象物を指し示して明確に主張しているが、本発明は以下の説明とともに添付図面を参照することでより良好に理解されると考えられる。図面では、実質的に同一の要素を指定するために同様の記号を用いている。
【図１】本発明のパッケージの平面図である。
【図２】切断線２−２に沿って取られた図１のパッケージの断面図である。
【図３】リング部材の斜視図である。
【図４】リング部材の斜視図である。
【図４Ａ】リング部材の斜視図である。
【図５】本発明の別のパッケージの平面図である。
【図６】切断線６−６に沿って取られた図５のパッケージの断面図である。
【図７】本発明の別のパッケージの平面図である。
【図８】切断線８−８に沿って取られた図７のパッケージの断面図である。
【図９】本発明の別のパッケージの平面図である。
【図１０】切断線１０−１０に沿って取られた図９のパッケージの断面図である。
【発明を実施するための形態】
【００１３】
図１及び２を参照すると、本発明のパッケージ１０が示されている。パッケージ１０は、前部材２０と、後部材３０とを含む。前部材２０は、第１の又は外表面２１と、反対側の第２の又は内表面２２とを有する。前封止表面２３は、第２の表面２２を囲繞する。前フランジ２４は、前封止表面２３から延在する。前フランジ２４は、前封止表面２３に対して垂直に配向される。前フランジ２４は、内向き表面２５と、外向き表面２６とを有する。内向き表面２５は、前部材２０に向かって面し、外向き表面２６は、前部材２０から離れて面する。前フランジ２４は、端縁部２７を有する。
【００１４】
後部材３０は、第１の又は外表面３１と、反対側の第２の又は内表面３２とを有する。後封止表面３３は、第２の表面３２を囲繞する。後フランジ３４は、後封止表面３３から延在する。後フランジ３４は、後封止表面３３に対して垂直に配向される。後フランジ３４は、内向き表面３５と、外向き表面３６とを有する。内向き表面３５は、後部材３０に向かって面し、外向き表面３６は、後部材３０から離れて面する。後フランジ３４は、端縁部３７を有する。
【００１５】
接合部４０は、前封止表面２３を後封止表面３３に固定する。接合部４０は、前封止表面２３を後封止表面３３に固定する、熱封止、圧力封止、又は接着剤であり得る。空洞４２は、前部材２０の第２の又は内表面２２と後部材３０の第２の又は内表面３２との間に位置する。
【００１６】
前部材２０及び後部材３０は、プラスチックから形成され得る。前部材２０及び後部材３０は、消費者がパッケージ１０内の物品を視認することができるように、略半透明又は透明なポリマーから製造され得る。透明性が前部材２０若しくは後部材３０のいずれか又は両方に対して必要とされない場合、木材／紙パルプ又は発泡スチロール等の不透明な材料さえも使用され得る。透明又は半透明のポリマーの例としては、限定はしないが、ポリオレフィン（例えば、ポリプロピレン、高密度ポリエチレン、又は低密度ポリエチレン）、ポリエステル（例えば、ポリエチレンテレフタレート）、及びポリ塩化ビニル（ＰＶＣ）が挙げられる。前及び後部材は、熱成形、又は射出成形、吹込み成形、冷間成形、及び射出吹込み成形等の他の既知の処理方法によって生成され得る。
【００１７】
リング部材５０は、接合部４０を被覆するように、前フランジ２４の外向き表面２６及び後フランジ３４の外向き表面３６に隣接して位置付けられる。好ましくは、リング部材５０は、不透明なプラスチック等の不透明な材料で形成される。木材／紙パルプ等の他の不透明な材料が、リング部材５０のために使用され得る。不透明なリング部材５０は、使用者から接合部４０を隠し、消費者に対して美観に優れた構造を提供する。リング部材５０は、取り扱うときにフランジ２４及び３４の端縁部２７及び３７を使用者との接触から離間させるように機能し、このため、パッケージ１０を、使用者が取り扱うのにより快適なものにする。好ましくは、リング部材５０は、単一的な１ピース部材である。つまり、リング部材５０は、接合部又は継ぎ目を伴わずに連続的である。代替的に、リング部材５０は、接合部又は継ぎ目を伴う１ピース部材であってもよい。図３に示されるリング部材５０は、単一的な１ピース部材である。図４に示されるリング部材５０は、接合部又は継ぎ目１５を有する１ピース部材である。継ぎ目は、熱封止、圧力封止、又は接着剤によって形成され得る。リング部材５０はまた、２つ若しくは３つ以上の接合部又は継ぎ目１５を有する、図４Ａに示されるもの等の多ピース部材であってもよい。
【００１８】
好ましくは、リング部材５０は、前フランジ２４の外向き表面２６及び後フランジ３４の外向き表面３６に固定される。リング部材５０は、熱封止、圧力封止、又は接着剤で、前フランジ２４の外向き表面２６及び後フランジ３４の外向き表面３６に固定され得る。リング部材５０は、前部材２０及び後部材３０を囲繞する。
【００１９】
リング部材５０は、リング部材５０に対する幅寸法５３を画定する、互いに反対側を向く縁部５１及び５２を有する。好ましくは、幅寸法５３は、リング部材５０の第１の縁部５１が、前フランジ２４の端縁部２７を越えて延在し、リング部材５０の第２の縁部５２は、後フランジ３４の端縁部３７を越えて延在する。かかる幅寸法５３を有することにより、フランジ２４及び３４の端縁部２７及び３７を、パッケージ１０を取り扱うときの使用者とのいかなる可能な接触からも離して位置付け、パッケージ１０を、使用者にとってより快適なものにする。
【００２０】
図５及び６を参照すると、本発明の別のパッケージ１１０が示されている。パッケージ１１０は、図１及び２に示されているパッケージ１０にいくつかの追加の要素を含む。パッケージ１１０は、前フランジ２４から延在する２次前フランジ２８と、後フランジ３４から延在する２次後フランジ３８とを含む。２次前フランジ２８は、前フランジ２４に対して垂直に配向され、前部材２０から離れて延在する。２次後フランジ３８は、後フランジ３４に対して垂直に配向され、後部材３０から離れて延在する。２次前フランジ２４は、前向き表面６２と、後向き表面６３と、端縁部６５と、長さ寸法６４とを含む。前向き表面６２は、リング部材５０から離れて面する一方、後向き表面６３は、リング部材５０に向かって面する。２次後フランジ３４は、前向き表面７２と、後向き表面７３と、端縁部７５と、長さ寸法７４とを含む。前向き表面７２は、リング部材５０から離れて面する一方、後向き表面７３は、リング部材５０に向かって面する。リング部材５０は、リング部材５０に対する厚さ寸法５４を画定する、外表面５６及び反対側の内表面５７を有する。外表面５６は、前部材２０及び後部材３０から離れて面し、内表面５７は、前部材２０及び後部材３０に向かって面する。
【００２１】
好ましくは、リング部材５０は、リング部材５０の外表面５６が端縁部７５を越えて延在するように、２次後フランジ３８の長さ寸法７４を上回る厚さ寸法５４を有する。好ましくは、リング部材５０は、リング部材５０の外表面５６が端縁部６５を越えて延在するように、２次前フランジ２８の長さ寸法６４を上回る厚さ寸法５４を有する。
【００２２】
図７及び８を参照すると、本発明の別のパッケージ２１０が示されている。パッケージ２１０は、図１及び２に示されているパッケージ１０にいくつかの追加の要素を含む。パッケージ２１０は、図１及び２に示されているリング部材５０の断面形状とは異なる断面形状を有するリング部材５０を含む。リング部材５０は、第１の部分８２と、第２の部分８３と、第３の部分８４とを有する。リング部材５０の第２の部分８３は、第１の部分８２を第３の部分８４と接続させる。
【００２３】
リング部材５０の第１の部分８２は、外表面５６と、反対側の内表面５７とを有する。外表面５６は、前部材２０及び後部材３０から離れて面し、内表面５７は、前部材２０及び後部材３０に向かって面する。
【００２４】
リング部材５０の第２の部分８３は、前向き表面８５と、後向き表面８７とを有する。リング部材５０の前向き表面８５は、前フランジ２４から離れて面する一方、後向き表面８７は、前フランジ２４に向かって面する。
【００２５】
リング部材５０の第３の部分８４は、外向き表面８８と、反対側の内向き表面８９とを有する。外向き表面は、前部材２０から離れて面し、内向き表面８９は、前部材２０に向かって面する。
【００２６】
リング部材５０の第１、第２、第３の部分８２、８３、及び８４は、それぞれ、リング部材５０が、前フランジ５０の周囲に巻包することを可能にし、それを使用者から隠す。
【００２７】
図９及び１０を参照すると、本発明の別のパッケージ３１０が示されている。パッケージ３１０は、図１及び２に示されているパッケージ１０にいくつかの追加の要素を含む。パッケージ３１０は、図１及び２に示されているリング部材５０の断面形状とは異なる断面形状を有するリング部材５０を含む。リング部材５０は、第１の部分９２と、第２の部分９３とを有する。リング部材５０の第２の部分９３は、第１の部分９２から内向きに、前部材２０及び後部材３０に向かって延在する突起である。
【００２８】
第２の部分９３を収容するために、前フランジ２４及び後フランジ３４は、追加のセクションを有する。前フランジ２４は、追加のセクション２４Ａ及び２４Ｂを有する。セクション２４Ａ及び２４Ｂは、リング部材５０の第２の部分９３に隣接して位置付けられる。後フランジ３４は、追加のセクション３４Ａ及び３４Ｂを有する。セクション３４Ａ及び３４Ｂは、リング部材５０の第２の部分９３に隣接して位置付けられる。
【００２９】
リング部材５０の第２の部分９３、並びにセクション２４Ａ、２４Ｂ、３４Ａ、及び３４Ｂは、組み立て中、リング部材５０が適切に整合されることを可能にする。
【００３０】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【００３１】
相互参照される又は関連する任意の特許又は特許出願、及び本願が優先権又はその利益を主張する任意の特許出願又は特許等の、本願に引用されるすべての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明すべてを教示、示唆、又は開示するとはみなされない。更に、本文書における用語の任意の意味又は定義が、参照により組み込まれた文書内の同じ用語の意味又は定義と競合する場合、本文書におけるその用語に与えられた意味又は定義が適用されるものとする。
【００３２】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのようなすべての変更及び修正は、添付の特許請求の範囲にて網羅することを意図したものである。
【図１】
2018508428.tif 000003
【図２】
2018508428.tif 000004
【図３】
2018508428.tif 000005
【図４】
2018508428.tif 000006
【図４Ａ】
2018508428.tif 000007
【図５】
2018508428.tif 000008
【図６】
2018508428.tif 000009
【図７】
2018508428.tif 000010
【図８】
2018508428.tif 000011
【図９】
2018508428.tif 000012
【図１０】
2018508428.tif 000013
【国際調査報告】
2018508428.tif 000014
2018508428.tif 000015